【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
ネットワークに接続されるように、また前記ネットワーク内で識別子を割り振られるように装置を構成するためのネットワークコネクタを有する前記装置に追加の機能を提供するためのデバイスであって、
前記デバイスを前記ネットワークに接続するための第１のコネクタと、
前記デバイスを前記装置の前記ネットワークコネクタに接続するための第２のコネクタとを備え、
それにより、前記デバイスは、前記ネットワークと前記装置の間で接続されるように適合され、前記デバイスはさらに、
前記追加の機能、および前記追加の機能を制御するための論理回路を提供するための１つまたは複数の構成要素を備え、
前記デバイスは、第１のネットワーク部分を使用して前記デバイスを通して前記ネットワークと前記装置の間の通信を可能にするように構成され、
前記デバイスは、第２のネットワーク部分を使用して前記装置と通信するように構成され、
前記デバイスの前記論理回路は、前記ネットワークと前記装置の間で接続される場合、
前記デバイスの前記論理回路へのアクセスはないが前記デバイスを通して前記装置に接続する前記第１のネットワーク部分と、
前記論理回路にアクセスするために前記装置を前記デバイスに接続する前記第２のネットワーク部分と
を使用して、前記装置を介して前記ネットワークにおいてアクセス可能である、デバイス。
【請求項２】
前記論理回路は、前記装置に割り振られた前記識別子を使用して、前記装置を介して前記ネットワークにおいてアクセス可能である請求項１に記載のデバイス。
【請求項３】
前記第２のコネクタは、前記ネットワークから識別子を受信するように適合された前記第１のコネクタおよび前記第２のコネクタのうちの唯一のコネクタであり、前記識別子は、前記コネクタが前記第１のネットワーク部分を使用して前記ネットワークから識別可能となるようにする請求項１または２に記載のデバイス。
【請求項４】
第２のコネクタは、第２のネットワーク部分を使用して識別可能な識別子に関連付けられている請求項１から３のいずれか一項に記載のデバイス。
【請求項５】
前記デバイスは、前記第１のネットワーク部分を使用して前記ネットワークから前記装置に通信を送信するように構成される請求項１から４のいずれか一項に記載のデバイス。
【請求項６】
前記デバイスは、前記装置に割り振られた前記識別子を使用して、および前記第１のネットワーク部分を使用して、前記装置から前記ネットワークに通信を送信するように構成される請求項１から５のいずれか一項に記載のデバイス。
【請求項７】
前記第１のコネクタおよび前記第２のコネクタの少なくとも一方がイーサネットコネクタであり、好ましくは、前記第１のコネクタと前記第２のコネクタの両方がイーサネットコネクタである請求項１から６のいずれか一項に記載のデバイス。
【請求項８】
前記第１のネットワーク部分で使用されるネットワーク通信プロトコルは、ＴＣＰ／ＩＰ、ＵＤＰ、ＳＳＨ、ＨＴＴＰ、ＨＴＴＰＳ、ＦＴＰ、ＳＭＴＰ、ＳＭＢ、ＲＴＳＰ、ＲＴＰ、ＳＦＴＰ、ＮＴＰ、ＡＲＰ、ＰＩＮＧ、ＶＰＮ、ＳＲＴＰ、ＳＲＴＣＰからなる群から選択される１つまたは複数のデータ通信プロトコルを含む請求項１から７のいずれか一項に記載のデバイス。
【請求項９】
前記第２のネットワーク部分で使用されるローカル通信プロトコルは、リンク−ローカルアドレス指定を使用して実装される１つまたは複数のデータ通信プロトコルを含み、前記１つまたは複数のデータ通信プロトコルは、ＴＣＰ／ＩＰ、ＰＰＰ、イーサネット、ＶＬＡＮからなる群から選択される請求項１から８のいずれか一項に記載のデバイス。
【請求項１０】
前記デバイスは、前記第２のコネクタと前記論理回路の間で接続されたネットワークスイッチをさらに備える請求項１から９のいずれか一項に記載のデバイス。
【請求項１１】
監視カメラと、
ネットワークに接続されるように、また前記ネットワーク内で識別子を割り振られるように前記監視カメラを構成するためのネットワークコネクタを有する前記監視カメラに追加の機能を提供するためのデバイスと、を備えるシステムであって、前記デバイスが、
前記デバイスを前記ネットワークに接続するための第１のコネクタと、
前記デバイスを前記監視カメラの前記ネットワークコネクタに接続するための第２のコネクタとを備え、
それにより、前記デバイスは、前記ネットワークと前記監視カメラの間で接続されるように適合され、前記デバイスはさらに、
前記追加の機能、および前記追加の機能を制御するための論理回路を提供するための１つまたは複数の構成要素を備え、
前記デバイスは、第１のネットワーク部分を使用して前記デバイスを通して前記ネットワークと前記監視カメラの間の通信を可能にするように構成され、
前記デバイスは、第２のネットワーク部分を使用して前記監視カメラと通信するように構成され、
前記デバイスの前記論理回路は、前記ネットワークと前記監視カメラの間で接続される場合、
前記デバイスの前記論理回路へのアクセスはないが前記デバイスを通して前記監視カメラに接続する前記第１のネットワーク部分と、
前記論理回路にアクセスするために前記監視カメラを前記デバイスに接続する前記第２のネットワーク部分と
を使用して、前記監視カメラを介して前記ネットワークにおいてアクセス可能である、システム。
【請求項１２】
前記追加の機能を提供するために１つまたは複数の構成要素をさらに備える請求項１１に記載のシステム。
【請求項１３】
前記追加の機能は、
オーディオ信号をキャプチャするためのオーディオキャプチャ手段と、
アナログ信号を送信および／または受信するためのアナログ入出力接続と、
デジタル信号を送信および／または受信するためのデジタル入出力接続と、
シリアルデータプロトコルを使用して通信するためのシリアル接続と、
外部ストレージ手段に接続するためのストレージ接続と、
ストレージ手段と、
受電および／または給電するための電源接続と、
照明デバイスまたはヒータと、
外部アクセス制御手段に接続するためのアクセス制御接続と、
アクセス制御手段と
のうちのいずれか１つまたは組み合わせから選択される請求項１２に記載のシステム。
【請求項１４】
装置に追加の機能を提供するための方法であって、前記装置は、ネットワークに接続されるように、また前記ネットワーク内で識別子を割り振られるように前記装置を構成するためのネットワークコネクタを有し、前記方法は、
デバイスの第１のコネクタを前記装置の前記ネットワークコネクタに接続し、前記デバイスの第２のコネクタを前記ネットワークに接続することにより、前記デバイスを前記ネットワークと前記装置の間で接続するステップと、
前記追加の機能を制御するために前記デバイスの論理回路を開始するステップと、
第２のネットワーク部分を使用して前記装置と通信するように前記デバイスのネットワークスイッチを構成するステップと、
前記第２のネットワーク部分を使用して前記デバイスと前記装置の間の通信を開始するステップと、
前記デバイスの機能に対する制御を提供するためにソフトウェアを起動するステップと、
前記追加の機能にアクセスするための要求を前記デバイスに転送するステップとを含む方法において、
前記デバイスは、第１のネットワーク部分を使用して前記デバイスを通して前記ネットワークと前記装置の間の通信を可能にするように構成され、前記方法はさらに、
前記デバイスの前記論理回路へのアクセスはないが前記デバイスを通して前記装置に接続する前記第１のネットワーク部分と、
前記論理回路にアクセスするために前記装置を前記デバイスに接続する前記第２のネットワーク部分と
を使用して、前記装置を介して前記ネットワークにおいて前記追加の機能にアクセスするステップを含む、方法。
【請求項１５】
前記装置に割り振られた前記識別子を使用して前記装置を介して前記ネットワークにおいて前記論理回路にアクセスするステップをさらに含む請求項１４に記載の方法。